(57)【要約】【課題】所望の燃料流量が得られ、負荷変動に対応できる燃料調整器を提供する。【解決手段】燃料調整器は、燃料流量指令値に基づいて特定した燃料流量値と、燃料温度の実測値を燃料温度に基づく弁開度補正係数算出式に入力して算出した第一弁開度補正値と、燃料流量調整弁の出口圧力の実測値と前記燃料流量調整弁の入口圧力の入口圧力値とに基づいて算出した第二弁開度補正値とを乗じることにより、燃焼器へ出力する燃料の流量を調整する前記燃料流量調整弁の弁開度指令値を算出することを特徴とする制御装置を備える。【選択図】図１
2015102071.tif 000002
【特許請求の範囲】
【請求項１】
燃料流量指令値に基づいて特定した燃料流量値と、
燃料温度の実測値を燃料温度に基づく弁開度補正係数算出式に入力して算出した第一弁開度補正値と、
燃料流量調整弁の出口圧力の実測値と前記燃料流量調整弁の入口圧力の入口圧力値とに基づいて算出した第二弁開度補正値と
を乗じることにより、
燃焼器へ出力する燃料の流量を調整する前記燃料流量調整弁の弁開度指令値を算出する事を特徴とする制御装置を備えた、燃料調整器。
【請求項２】
前記燃料流量調整弁の入口圧力値は、実測により得られる圧力の実測値である
請求項１の制御装置を備えた、燃料調整器。
【請求項３】
前記燃料流量調整弁の入口圧力値は、前記燃料流量調整弁の出口圧力の実測値と、前記出口圧力と前記入口圧力との圧力差の実測値と、を加えた計算値である
請求項１の制御装置を備えた、燃料調整器。
【請求項４】
前記燃料流量調整弁の出口圧力の実測値の変動を取り除く第一のローパスフィルタと、
前記燃料流量調整弁の入口圧力値の変動を取り除く第二のローパスフィルタと
を備える請求項２の制御装置を備えた、燃料調整器。
【請求項５】
前記燃料流量調整弁の出口圧力の実測値の変動を取り除く第一のローパスフィルタと、
前記燃料流量調整弁の前記出口圧力と前記入口圧力との圧力差の実測値の変動を取り除く第三のローパスフィルタと
を備える請求項３の制御装置を備えた、燃料調整器。
【請求項６】
前記第二弁開度補正値は、負荷変化率が小さい場合、差圧一定の補正テーブルに置き替えられる
請求項１から請求項５の何れか一項の制御装置を備えた、燃料調整器。
【請求項７】
前記算出した弁開度指令値に基づいて、前記燃料流量調整弁が燃焼器へ出力する燃料の流量を調整する
請求項１から請求項６の何れか一項の制御装置を備えた、燃料調整器。
【請求項８】
前記燃料の組成を特定する燃料組成特定部を備え、
前記燃料組成特定部が特定した組成に基づいた燃料密度を用いて前記弁開度指令値を算出する
請求項１から請求項７の何れか一項の制御装置を備えた、燃料調整器。
【請求項９】
請求項８の制御装置を備えた、燃焼器。
【請求項１０】
請求項９の制御装置を備えた、ガスタービン。
【請求項１１】
請求項１０の制御装置を備えるガスタービンシステム。
【請求項１２】
燃料流量指令値に基づいて特定した燃料流量値と、
燃料温度の実測値を燃料温度に基づく弁開度補正係数算出式に入力して算出した第一弁開度補正値と、
燃料流量調整弁の出口圧力の実測値と前記燃料流量調整弁の入口圧力の入口圧力値とに基づいて算出した第二弁開度補正値と
を乗じることにより、
燃焼器へ出力する燃料の流量を調整する前記燃料流量調整弁の弁開度指令値を算出する燃料調整器制御方法。
【請求項１３】
燃料調整器のコンピュータを、
燃料流量指令値に基づいて特定した燃料流量値と、
燃料温度の実測値を燃料温度に基づく弁開度補正係数算出式に入力して算出した第一弁開度補正値と、
燃料流量調整弁の出口圧力の実測値と前記燃料流量調整弁の入口圧力の入口圧力値とに基づいて算出した第二弁開度補正値と
を乗じることにより、
燃焼器へ出力する燃料の流量を調整する前記燃料流量調整弁の弁開度指令値を算出する算出手段として機能させるためのプログラム。
【発明の詳細な説明】
【技術分野】
【０００１】
本発明は、燃料調整器、燃焼器、ガスタービン、ガスタービンシステム、燃料調整器制御方法、及びプログラムに関する。
【背景技術】
【０００２】
ガスタービンシステムの多くは、負荷の状態に応じて燃料流量調整弁の弁開度を調整することで燃焼器への燃料流量を調整している。
特許文献１には、関連する技術としてガスタービンシステムにおける燃料流量を設定する技術が記載されている。
【先行技術文献】
【特許文献】
【０００３】
【特許文献１】特開２００４−１１６３８４号公報
【発明の概要】
【発明が解決しようとする課題】
【０００４】
ところで、従来のガスタービンシステムにおける燃料流量調整弁の弁開度の算出は、燃料流量調整弁の入口圧力と出口圧力との差圧を固定値とみなして行っていた。そのため、ガスタービンシステムにおいて急速な負荷変動が生じた場合であっても、弁開度の算出に過渡的な差圧の変化による影響が含まれず、ガスタービンシステムにおいて所望の燃料流量が得られない、すなわちガスタービンシステムにおける急激な負荷変動に対応できないという問題があった。
【０００５】
そこでこの発明は、上記の課題を解決することのできる燃料調整器、燃焼器、ガスタービン、ガスタービンシステム、燃料調整器制御方法、及びプログラムを提供することを目的としている。
【課題を解決するための手段】
【０００６】
上記目的を達成するために、本発明の一態様によれば、燃料調整器は、燃料流量指令値に基づいて特定した燃料流量値と、燃料温度の実測値を燃料温度に基づく弁開度補正係数算出式に入力して算出した第一弁開度補正値と、燃料流量調整弁の出口圧力の実測値と前記燃料流量調整弁の入口圧力の入口圧力値とに基づいて算出した第二弁開度補正値とを乗じることにより、燃焼器へ出力する燃料の流量を調整する前記燃料流量調整弁の弁開度指令値を算出することを特徴とする制御装置を備える。
【０００７】
また本発明の別の態様によれば、前記燃料調整器は、弁開度指令値の算出において、前記燃料流量調整弁の入口圧力値が実測により得られる圧力の実測値である制御装置を備える。
【０００８】
また本発明の別の態様によれば、前記燃料調整器は、弁開度指令値の算出において、前記燃料流量調整弁の入口圧力値が前記燃料流量調整弁の出口圧力の実測値と、前記出口圧力と前記入口圧力との圧力差の実測値と、を加えた計算値である制御装置を備える。
【０００９】
また本発明の別の態様によれば、前記燃料調整器は、前記燃料流量調整弁の出口圧力の実測値の変動を取り除く第一のローパスフィルタと、前記燃料流量調整弁の入口圧力値の変動を取り除く第二のローパスフィルタとを備える制御装置を備える。
【００１０】
また本発明の別の態様によれば、前記燃料調整器は、前記燃料流量調整弁の出口圧力の実測値の変動を取り除く第一のローパスフィルタと、前記燃料流量調整弁の前記出口圧力と前記入口圧力との圧力差の実測値の変動を取り除く第三のローパスフィルタとを備える制御装置を備える。
【００１１】
また本発明の別の態様によれば、前記燃料調整器は、弁開度指令値の算出において、負荷変化率が小さい場合に、前記第二弁開度補正値が差圧一定の補正テーブルに置き替えられる制御装置を備える。
【００１２】
また本発明の別の態様によれば、前記燃料調整器は、前記算出した弁開度指令値に基づいて、前記燃料流量調整弁が燃焼器へ出力する燃料の流量を調整する制御装置を備える。
【００１３】
また本発明の別の態様によれば、前記燃料調整器は、前記燃料の組成を特定する燃料組成特定部を備え、前記燃料組成特定部が特定した組成に基づいた燃料密度を用いて前記弁開度指令値を算出する制御装置を備える。
【００１４】
また本発明の別の態様によれば、燃焼器は、前記何れかの制御装置を備える。
【００１５】
また本発明の別の態様によれば、ガスタービンは、前記何れかの制御装置を備える。
【００１６】
また本発明の別の態様によれば、ガスタービンシステムは、前記何れかの制御装置を備える。
【００１７】
また本発明の別の態様によれば、燃料調整器制御方法は、燃料流量指令値に基づいて特定した燃料流量値と、燃料温度の実測値を燃料温度に基づく弁開度補正係数算出式に入力して算出した第一弁開度補正値と、燃料流量調整弁の出口圧力の実測値と前記燃料流量調整弁の入口圧力の入口圧力値とに基づいて算出した第二弁開度補正値とを乗じることにより、燃焼器へ出力する燃料の流量を調整する前記燃料流量調整弁の弁開度指令値を算出する。
【００１８】
また本発明の別の態様によれば、プログラムは、燃料調整器のコンピュータを、燃料流量指令値に基づいて特定した燃料流量値と、燃料温度の実測値を燃料温度に基づく弁開度補正係数算出式に入力して算出した第一弁開度補正値と、燃料流量調整弁の出口圧力の実測値と前記燃料流量調整弁の入口圧力の入口圧力値とに基づいて算出した第二弁開度補正値とを乗じることにより、燃焼器へ出力する燃料の流量を調整する前記燃料流量調整弁の弁開度指令値を算出する算出手段として機能させる。
【発明の効果】
【００１９】
本発明の実施形態による燃料調整器によれば、所望の燃料流量が得られ、負荷変動に対応できる。
【図面の簡単な説明】
【００２０】
【図１】本発明の第一の実施形態による燃料調整器１０を備えるガスタービンシステム１の構成の一例を示す図である。
【図２】記憶部１１０が記憶する燃料流量指令値ＣＳＯと燃料流量値Ｇとの関係を示すデータテーブルＡの一例を示す図である。
【図３】記憶部１１０が記憶する燃料温度Ｔと温度補正係数との関係を示すデータテーブルＢの一例を示す図である。
【図４】記憶部１１０が記憶する燃料流量調整弁Ｃｖ値と弁開度指令値との関係を示すデータテーブルＣの一例を示す図である。
【図５】本発明の第一の実施形態による燃料調整器１０が行う処理の一例を示す図である。
【図６】本発明の第一の実施形態による燃料調整器１０の処理フローの一例を示す図である。
【図７】本発明の第一の実施形態による燃料調整器１０の処理フローの一例を示す図である。
【図８】本発明の実施形態による燃料調整器１０の処理により得られる効果の一例を示す図である。
【図９】本発明の第二の実施形態による燃料調整器１０を備えるガスタービンシステム１の構成の一例を示す図である。
【図１０】本発明の第二の実施形態による燃料調整器１０が行う処理の一例を示す図である。
【図１１】本発明の第二の実施形態による燃料調整器１０の処理フローの一例を示す図である。
【図１２】本発明の第二の実施形態による燃料調整器１０の処理フローの一例を示す図である。
【図１３】本発明の第三の実施形態による燃料調整器１０を備えるガスタービンシステム１の構成の一例を示す図である。
【図１４】本発明の第三の実施形態による燃料調整器１０が行う処理の一例を示す図である。
【図１５】本発明の第三の実施形態による燃料調整器１０の処理フローの一例を示す図である。
【図１６】本発明の第三の実施形態による燃料調整器１０の処理フローの一例を示す図である。
【図１７】本発明の第四の実施形態による燃料調整器１０を備えるガスタービンシステム１の構成の一例を示す図である。
【図１８】本発明の第四の実施形態による燃料調整器１０が行う処理の一例を示す図である。
【図１９】本発明の第四の実施形態による燃料調整器１０の処理フローの一例を示す図である。
【図２０】本発明の第四の実施形態による燃料調整器１０の処理フローの一例を示す図である。
【図２１】本発明の第五の実施形態による燃料調整器１０を備えるガスタービンシステム１の構成の一例を示す図である。
【図２２】本発明の第五の実施形態による燃料調整器１０が行う処理の一例を示す図である。
【図２３】本発明の第五の実施形態による燃料調整器１０の処理フローの一例を示す図である。
【図２４】本発明の第五の実施形態による燃料調整器１０の処理フローの一例を示す図である。
【発明を実施するための形態】
【００２１】
＜第一の実施形態＞
図１は、本発明の第一の実施形態による燃料調整器１０を備えるガスタービンシステム１の構成の一例を示す図である。
図１で示すように、第一の実施形態によるガスタービンシステム１は、燃料調整器１０と、空気圧縮機２０と、燃焼器３０と、タービン４０と、発電機５０と、ＩＧＶ（Ｉｎｌｅｔ  Ｇｕｉｄｅ  Ｖａｎｅ）コントローラ６０と、冷却装置７０と、燃料系統８０と、記憶部１１０と、軸１２０と、ＣＳＯ（Ｃｏｎｔｒｏｌ  Ｓｉｇｎａｌ  Ｏｕｔｐｕｔ）演算部１３０とを備える。
【００２２】
第一の実施形態による燃料調整器１０は、算出部１０１と、指令部１０２とを備える。
算出部１０１は、燃料流量指令値に基づいて算出した燃料流量値と、燃料温度の実測値を燃料温度に基づく弁開度補正係数算出式に入力して算出した第一弁開度補正値と、燃料流量調整弁８０２の出口圧力の実測値と燃料流量調整弁８０２の入口圧力の入口圧力値とに基づいて算出した第二弁開度補正値とを乗じる。算出部１０１は、燃焼器３０へ出力する燃料の流量を調整する燃料流量調整弁８０２の弁開度指令値を算出する。算出部１０１は、算出した燃料流量調整弁８０２の弁開度指令値を指令部１０２に出力する。
指令部１０２は、算出部１０１が算出した弁開度指令値に基づいて、燃料系統８０の燃料系統における燃料流量調整弁８０２を制御する弁開度指令値を出力する。
【００２３】
空気圧縮機２０は、ＩＧＶコントローラ６０の制御に基づき空気を取り入れる。空気圧縮機２０は、取り入れた空気を圧縮して圧縮空気を生成する。空気圧縮機２０は、生成した圧縮空気を燃焼器３０に送り込む。
燃焼器３０は、空気圧縮機２０から送り込まれた圧縮空気中で燃料系統のノズル８０５から噴射された燃料ガスを燃焼させ高温の燃焼ガスを生成する。燃焼器３０は、生成した高温の燃焼ガスをタービン４０に排気する。
【００２４】
タービン４０では、燃焼器３０から取り入れた高温の燃焼ガスが膨張することによる熱エネルギを軸１２０の回転エネルギに変換する。タービン４０は、軸１２０を介して空気圧縮機２０と発電機５０とを駆動する。
発電機５０は、タービン４０が回転させた軸１２０に結合しており、軸１２０の回転エネルギを電力に変換する。
ＣＳＯ演算部１３０は、発電機の出力を設定する発電機出力指令と発電機５０の出力に基づいて、燃料系統８０の燃料流量指令値ＣＳＯを演算する。また、ＣＳＯ演算部１３０は、演算した燃料流量指令値ＣＳＯを算出部１０１に出力する。
【００２５】
ＩＧＶコントローラ６０は、空気圧縮機２０の吸気口に備えられるＩＧＶを制御し、空気圧縮機２０への空気の流入を調整する。
冷却装置７０は、ＧＴ（Ｇａｓ  Ｔｕｒｂｉｎｅ）冷却空気弁７０１を備える。冷却装置７０は、ＧＴ冷却空気弁７０１が開状態になることで、空気圧縮機２０における低温の空気をタービン４０に送り込み、タービン４０を構成する翼を冷却する。
【００２６】
燃料系統８０は、圧力調整弁８０１と、燃料流量調整弁８０２と、圧力計８０３と、差圧計８０４と、ノズル８０５とを備える。
【００２７】
記憶部１１０は、算出部１０１が演算に使用するデータテーブルなど燃料調整器１０において必要となる種々の情報を記憶する記憶部である。例えば、燃料流量指令値と燃料流量値との関係を示すデータテーブルＡを記憶している。また、例えば、記憶部１１０は、燃料系統に対して、燃料温度と温度補正係数との関係を示すデータテーブルＢを記憶している。また、例えば、記憶部１１０は、燃料系統に対して、燃料流量調整弁Ｃｖ値と弁開度指令値との関係を示すデータテーブルＣを記憶している。
【００２８】
なお、図１で示すように、実施形態におけるガスタービン２は、空気圧縮機２０、燃焼器３０、タービン４０、発電機５０、ＩＧＶコントローラ６０、冷却装置７０、軸１２０を備える。
【００２９】
図２は、記憶部１１０が記憶する燃料流量指令値ＣＳＯと燃料流量値Ｇとの関係を示すデータテーブルＡの一例を示す図である。
このデータテーブルＡは、負荷駆動の定格まで対応した値燃料流量指令値１００まで示している。算出部１０１は、現在の発電機５０に接続されている電力消費装置の負荷を１００［パーセント］とし、燃料流量指令値ＣＳＯと対応する燃料流量値Ｇとをこのデータテーブルを用いて特定する。
【００３０】
例えば、所定のタイミングの発電機５０に接続されている電力消費装置の負荷に対する燃料系統８０の燃料流量指令値ＣＳＯが燃料流量指令値７０であるものとする。
この場合、燃料系統８０の燃料流量指令値ＣＳＯと対応する燃料流量値Ｇとして、データテーブルＡにおける燃料流量指令値７０とそれに対応する燃料流量値７０が用いられる。
【００３１】
図３は、記憶部１１０が記憶する燃料温度Ｔと温度補正係数との関係を示すデータテーブルＢの一例を示す図である。
第一の実施形態による燃料調整器１０の算出部１０１が算出に用いる一般式は式（１）のように表すことができる。
【００３２】
【数１】
2015102071.tif 000003
【００３３】
式（１）において、Ｃｖは燃料流量調整弁Ｃｖ値、Ｇは燃料流量値［ｋｇ／ｓ］、γはガス密度［ｋｇ／Ｎｍ３］、Ｔは燃料温度［℃］、Ｐ１は燃料流量調整弁８０２の入口圧力［ａｔａ］、Ｐ２は燃料流量調整弁８０２の出口圧力である。なお、ガス密度γはガスの組成によって決定される定数である。
この式（１）の右辺における第二項と第三項とを乗算した値が図３で示すデータテーブルＢにおける温度補正係数である。
本実施形態では、燃料系統において、ガスの組成に応じたガス密度γが予めデータテーブルに記録されているものとし、そのデータテーブルを用いて温度補正係数が特定されるものとする。なお、温度補正係数は逐一算出されてもよい。
【００３４】
なお、燃料系統におけるガスの組成が事前にわかっており組成が変化しない場合、ガスの組成に応じた定数を使用して算出した温度補正係数を図３で示すデータテーブルＢにおける温度補正係数として用いる。
また、燃料系統におけるガスの組成が逐次変化する場合、例えばガスクロマトグラフィのような装置を用いて所定の時間間隔でガスを分析し、その分析結果から得られたガスの組成に応じたガス密度γを用いて温度補正係数が算出される。
【００３５】
図４は、記憶部１１０が記憶する燃料流量調整弁Ｃｖ値と弁開度指令値との関係を示すデータテーブルＣの一例を示す図である。
このデータテーブルＣは、算出部１０１が式（１）に基づいて算出した燃料流量調整弁Ｃｖ値に対する燃料流量調整弁の弁開度指令値を設定するデータテーブルである。各燃料系統に対して異なるデータテーブルＣが用意されている。
【００３６】
図５は、本発明の第一の実施形態による燃料調整器１０が行う処理の一例を示す図である。
また、図６と図７は、本発明の第一の実施形態による燃料調整器１０の処理フローの一例を示す図である。
次に、図５から図７を用いて第一の実施形態による燃料調整器１０の処理フローについて説明する。
【００３７】
第一の実施形態による燃料調整器１０が行う処理は、燃料調整器１０の算出部１０１が燃料流量調整弁Ｃｖ値を算出し、燃料調整器１０の指令部１０２が燃料流量調整弁８０２を制御する弁開度指令値を出力する処理である。
算出部１０１が行う燃料系統８０における燃料流量調整弁Ｃｖ値の算出と、指令部１０２が行う燃料系統８０における燃料流量調整弁８０２を制御する弁開度指令値の出力を例に説明する。
なお、算出部１０１が行う処理ではガスの組成がわかっており、ガス密度γは予め記憶部１１０に記録されているものとする。
【００３８】
算出部１０１は、記憶部１１０が記憶している燃料流量指令値ＣＳＯと燃料流量値Ｇとの関係を示すデータテーブルＡを読み出す（ステップＳ１）。
算出部１０１は、燃料流量指令値ＣＳＯを演算部１３０から入力する（ステップＳ２）。
【００３９】
そして、算出部１０１は、入力した負荷の大きさと燃料流量指令値ＣＳＯとに基づいて、燃料系統に対して、データテーブルＡにおける燃料流量指令値ＣＳＯと対応する燃料流量値Ｇとを特定する（ステップＳ４）。
【００４０】
例えば、発電機５０に接続されている電力消費装置の負荷の大きさがデータテーブルＡにおける燃料流量指令値ＣＳＯの燃料流量指令値７０に相当する場合、算出部１０１は、燃料系統８０に対して、燃料系統８０の燃料流量指令値ＣＳＯがデータテーブルＡの燃料流量指令値７０であることを特定する。そして、算出部１０１は、燃料系統８０に対する燃料流量値Ｇが燃料流量指令値７０に対応する燃料流量値７０であると特定する。なお、発電機５０に接続されている電力消費装置の負荷の大きさがデータテーブルＡには無い中間値であった場合、データテーブルＡにおける値から線形補間や高次の多項式による近似などを行い求めてもよい。
なお、このステップＳ４で算出部１０１が特定した燃料流量値は、算出部１０１が式（１）に基づいて燃料流量調整弁Ｃｖ値を算出する際に使用する燃料流量値Ｇとなる。
【００４１】
次に、算出部１０１は、記憶部１１０が記憶している燃料温度と温度補正係数との関係を示すデータテーブルＢを読み出す（ステップＳ５）。
算出部１０１は、燃料温度Ｔを取得する（ステップＳ６）。例えば、燃料系統に温度センサを備え、算出部１０１は、その温度センサから温度を取得する。そして、算出部１０１は、取得した温度を燃料温度Ｔとする。
【００４２】
算出部１０１は、取得した燃料温度Ｔに相当するデータテーブルＢにおける燃料温度を特定する。そして、算出部１０１は、データテーブルＢにおいて特定した燃料温度Ｔに対応する温度補正係数を特定する（ステップＳ７）。例えば、算出部１０１は、取得した燃料温度に相当する温度をデータテーブルＢの燃料温度４と特定したとする。この場合、算出部１０１は、燃料温度４に対応する温度補正係数４を温度補正係数として特定する。なお、温度センサから取得した温度がデータテーブルＢには無い中間値であった場合、データテーブルＢにおける値から線形補間や高次の多項式による近似などを行い求めてもよい。
なお、このステップＳ７で算出部１０１が算出した温度補正係数は、燃料流量調整弁Ｃｖ値を算出部１０１が式（１）に基づいて算出する際に使用する温度補正係数となる。
【００４３】
算出部１０１は、ステップＳ４で特定した燃料流量値ＧとステップＳ７で特定した温度補正係数とを乗算する（ステップＳ８）。
そして、算出部１０１は、燃料流量値Ｇと温度補正係数とを乗算した乗算結果を記憶部１１０に記録する（ステップＳ９）。
【００４４】
次に、算出部１０１は、燃料系統が備える差圧計８０４から燃料流量調整弁８０２の入口圧力と出口圧力との圧力差の実測値を取得する（ステップＳ１０）。
算出部１０１は、燃料系統が備える圧力計８０３から燃料流量調整弁８０２の出口圧力の実測値を取得する（ステップＳ１１）。
算出部１０１は、燃料流量調整弁８０２の入口圧力と出口圧力との圧力差の実測値と、燃料流量調整弁８０２の出口圧力の実測値とを加算する（ステップＳ１２）。
【００４５】
算出部１０１は、燃料流量調整弁８０２の出口圧力の実測値の二乗を算出する（ステップＳ１３）。
算出部１０１は、ステップＳ１２で算出した燃料流量調整弁８０２の入口圧力と出口圧力との圧力差の実測値と、燃料流量調整弁８０２の出口圧力の実測値とを加算した算出結果の二乗を算出する（ステップＳ１４）。
【００４６】
算出部１０１は、ステップＳ１４で算出した燃料流量調整弁８０２の入口圧力と出口圧力との圧力差の実測値と、燃料流量調整弁８０２の出口圧力の実測値とを加算した値の二乗の算出結果から、ステップＳ１３で算出した燃料流量調整弁８０２の出口圧力の実測値の二乗の算出結果を減算する（ステップＳ１５）。
【００４７】
算出部１０１は、ステップＳ１５で算出した燃料流量調整弁８０２の入口圧力と出口圧力との圧力差の実測値と、燃料流量調整弁８０２の出口圧力の実測値とを加算した値の二乗から、燃料流量調整弁８０２の出口圧力の実測値の二乗を減算した算出結果の平方根を算出する（ステップＳ１６）。
【００４８】
算出部１０１は、ステップＳ１６で算出した燃料流量調整弁８０２の入口圧力と出口圧力との圧力差の実測値と、燃料流量調整弁８０２の出口圧力の実測値とを加算した値の二乗から、燃料流量調整弁８０２の出口圧力の実測値の二乗を減算した値の平方根の算出結果の逆数を算出する（ステップＳ１７）。
【００４９】
算出部１０１は、ステップＳ１７で算出した燃料流量調整弁８０２の入口圧力と出口圧力との圧力差の実測値と燃料流量調整弁８０２の出口圧力の実測値とを加算した値の二乗から、燃料流量調整弁８０２の出口圧力の実測値の二乗を減算した値の平方根の逆数の算出結果と、ステップＳ８で乗算した燃料流量値Ｇと温度補正係数との算出結果とを乗算する（ステップＳ１８）。
なお、このステップＳ１８で算出部１０１は、式（１）に基づく燃料系統における燃料流量調整弁Ｃｖ値の算出処理を完了する。
【００５０】
次に、算出部１０１は、記憶部１１０が記憶している燃料流量調整弁Ｃｖ値と弁開度指令値との関係を示すデータテーブルＣを読み出す（ステップＳ１９）。
算出部１０１は、ステップＳ１８で算出した燃料流量調整弁Ｃｖ値に基づいて、データテーブルＣにおける燃料流量調整弁Ｃｖ値と対応する弁開度指令値とを特定する（ステップＳ２０）。
算出部１０１は、データテーブルＣにおいて特定した弁開度指令値を指令部１０２に出力する。
指令部１０２は、算出部１０１から弁開度指令値を入力すると、入力した弁開度指令値に基づいて、燃料系統に弁開度指令値を出力し、燃料流量調整弁８０２を制御する（ステップＳ２１）。
なお、上述の処理フローにおける燃料流量調整弁８０２の弁開度指令値の算出は、ある瞬間の状態に対する計算とみなせる程度短時間で行われるものである。
【００５１】
図８は、本発明の実施形態による燃料調整器１０の処理により得られる効果の一例を示す図である。
次に、本発明の実施形態による燃料調整器１０の処理により得られる効果について説明する。
この図における「適用前」は、燃料流量調整弁８０２の入口圧力と出口圧力との差圧を固定値として弁開度指令値を算出する燃料調整器により制御した発電機出力を示している。また、この図における「適用後」は、本発明の実施形態による燃料調整器１０により制御した発電機出力を示している。
「適用前」では、
（１）発電機出力の目標値に応じた弁開度指令値により、燃料流量調整弁８０２が立ち上がる。
（２）燃料流量が急激に増加するため、燃料流量調整弁８０２の入口圧力と出口圧力との差圧が過渡的に低下する。
（３）燃料流量調整弁８０２の入口圧力と出口圧力との差圧を固定値として弁開度指令値を算出しているため、燃料流量調整弁８０２の入口圧力と出口圧力との差圧が低下してもその差圧は弁開度指令値に反映されない。その結果、燃料流量の増加は、下に凸になる。
（４）所望の燃料流量が得られないため、発電機出力が目標値に追従できない。
「適用後」では、
（１）発電機出力の目標値に応じた弁開度指令により、燃料流量調整弁８０２が立ち上がる。
（２）燃料流量が急激に増加し、燃料流量調整弁８０２の入口圧力と出口圧力との差圧が過渡的に低下する。
（３）燃料流量調整弁８０２の入口圧力と出口圧力との差圧の低下に伴い、燃料流量調整弁８０２を制御する圧力補正項が大きくなり弁開度指令が上に凸となって立ち上がる。その結果、燃料流量は、ほぼ線形で増加する。
（４）所望の燃料流量が得られるため、発電機出力が目標に追従できる。
このように、本発明の実施形態による燃料調整器１０により制御した発電機出力は負荷変動に応じた制御を行う。
【００５２】
以上、第一の実施形態による燃料調整器１０の処理について説明した。上述の燃料調整器１０の処理によれば、燃料系統８０の燃料系統において、燃料流量指令値ＣＳＯに基づいて算出した燃料流量値Ｇと、燃料温度の実測値を燃料温度に基づく式（１）で示した弁開度補正係数算出式に入力して算出した温度補正係数（第一弁開度補正値）と、燃料流量調整弁８０２の出口圧力の実測値と燃料流量調整弁８０２の入口圧力値とに基づいて算出した圧力補正係数（第二弁開度補正値）とを乗じることにより、燃焼器３０へ出力する燃料の流量を調整する燃料流量調整弁８０２の弁開度指令値を算出する。
このようにすれば、ガスタービンシステムにおいて所望の燃料流量が得られ、急激な負荷変動に対応できる。
【００５３】
なお、上述の第一の実施形態による燃料調整器１０の処理についての説明は、燃料系統８０である場合に対するものであるが、それに限定するものではない。例えば、ガスタービンシステム１は、メイン燃料系統、パイロット燃料系統、トップハット燃料系統を備える。そして、燃料調整器１０は、メイン燃料系統、パイロット燃料系統、トップハット燃料系統に対して燃料系統８０と同様の制御を行い、燃料を分割してもよい。
【００５４】
＜第二の実施形態＞
図９は、本発明の第二の実施形態による燃料調整器１０を備えるガスタービンシステム１の構成の一例を示す図である。
図９で示すように、第二の実施形態によるガスタービンシステム１は、第一の実施形態によるガスタービンシステム１と同様に、燃料調整器１０と、空気圧縮機２０と、燃焼器３０と、タービン４０と、発電機５０と、ＩＧＶコントローラ６０と、冷却装置７０と、燃料系統８０と、記憶部１１０と、軸１２０と、ＣＳＯ演算部１３０とを備える。
ただし、第二の実施形態による算出部１０１は、第一の実施形態による算出部１０１の構成に、更にローパスフィルタ１０５（１０５ａ、１０５ｂ）を備える。
ローパスフィルタ１０５は、入力された信号の高周波成分を除去する。
【００５５】
図１０は、本発明の第二の実施形態による燃料調整器１０が行う処理の一例を示す図である。
また、図１１と図１２は、本発明の第二の実施形態による燃料調整器１０の処理フローの一例を示す図である。
次に、図１０から図１２を用いて第二の実施形態による燃料調整器１０の処理フローについて説明する。
この第二の実施形態による燃料調整器１０が行う処理は、第一の実施形態による燃料調整器１０が行う処理において、更にローパスフィルタ１０５による処理が追加されたものである。
そのため、ここでは、ローパスフィルタ１０５についてのみ説明する。
【００５６】
燃料系統８０の燃料系統における燃料流量調整弁８０２の入力圧力と出力圧力の差圧や出力圧力の燃料流量調整弁８０２は、電気的な信号により制御される場合がある。そして、入力圧力と出力圧力の差圧信号や、出力圧力の出力圧力信号に対してフィードバック制御が行われる場合がある。フィードバック制御においてフィードバックゲインが高くなると、制御系における利得余裕や位相余裕が低減し、燃料流量調整弁８０２の差圧信号や出力圧力信号がハンチングを起こしやすくなり、高周波成分が増加する可能性がある。
ローパスフィルタ１０５ａ（第三のローパスフィルタ）は、燃料流量調整弁８０２の差圧信号における高周波成分を除去するためのフィルタである。また、ローパスフィルタ１０５ｂ（第一のローパスフィルタ）は、燃料流量調整弁８０２の出力圧力信号における高周波成分を除去するためのフィルタである。
燃料流量調整弁８０２の差圧信号や出力圧力信号における高周波成分が除去されれば、制御系における変動を抑制することができ、制御系を安定させることができる。
【００５７】
第二の実施形態による燃料調整器１０の処理フローは、第一の実施形態による燃料調整器１０の処理フローにおいて、ステップＳ１２をステップＳ２２、ステップＳ１３をステップＳ２３に置き替えることで説明される。
算出部１０１は、燃料系統に対して、燃料流量調整弁８０２の入口圧力と出口圧力との圧力差のローパスフィルタ１０５ａ通過後の実測値と燃料流量調整弁８０２の出口圧力のローパスフィルタ１０５ｂ通過後の実測値とを加算する（ステップＳ２２）。
【００５８】
算出部１０１は、燃料系統に対して、燃料流量調整弁８０２の出口圧力のローパスフィルタ１０５ｂ通過後の実測値の二乗を算出する（ステップＳ２３）。
【００５９】
以上、第二の実施形態による燃料調整器１０の処理について説明した。上述の燃料調整器１０の処理によれば、燃料系統８０の燃料系統において、燃料流量指令値ＣＳＯに基づいて算出した燃料流量値Ｇと、燃料温度の実測値を燃料温度に基づく式（１）で示した弁開度補正係数算出式に入力して算出した温度補正係数（第一弁開度補正値）と、燃料流量調整弁８０２の出口圧力の実測値と燃料流量調整弁８０２の入口圧力値とに基づいて算出した圧力補正係数（第二弁開度補正値）とを乗じることにより、燃焼器３０へ出力する燃料の流量を調整する燃料流量調整弁８０２の弁開度指令値を算出する。
このようにすれば、ガスタービンシステムにおいて所望の燃料流量が得られ、急激な負荷変動に対応できる。
また、ローパスフィルタ１０５により、燃料流量調整弁の差圧信号や出力圧力信号における高周波成分を除去することができ、制御系を安定させることができる。
【００６０】
＜第三の実施形態＞
図１３は、本発明の第三の実施形態による燃料調整器１０を備えるガスタービンシステム１の構成の一例を示す図である。
図１３で示すように、第三の実施形態によるガスタービンシステム１は、第一の実施形態によるガスタービンシステム１と同様に、燃料調整器１０と、空気圧縮機２０と、燃焼器３０と、タービン４０と、発電機５０と、ＩＧＶコントローラ６０と、冷却装置７０と、燃料系統８０と、記憶部１１０と、軸１２０と、ＣＳＯ演算部１３０とを備える。
【００６１】
ただし、第三の実施形態による燃料調整器１０は、第一の実施形態による燃料調整器１０の構成に、更に、負荷検出部１０３と、負荷変化率判定部１０４を備える。
負荷検出部１０３は、発電機５０に接続されている電力消費装置の負荷を周波数などにより間接的に検出する。
負荷変化率判定部１０４は、所定のしきい値と所定のタイミングにおける負荷変動とを比較し、負荷変動率が大きいか否かを判定する。
また、第二の実施形態による算出部１０１は、第一の実施形態による算出部１０１の構成に、更にレート付スイッチ１０６を備える。
更に、記憶部１１０は、燃料系統８０の燃料系統に対して、燃料流量調整弁８０２の入口圧力と出口圧力との差圧を固定値として算出した、出口圧力値と圧力補正係数との関係を示すデータテーブルＤを記憶している。
【００６２】
図１４は、本発明の第三の実施形態による燃料調整器１０が行う処理の一例を示す図である。
また、図１５と図１６は、本発明の第三の実施形態による燃料調整器１０の処理フローの一例を示す図である。
次に、図１４から図１６を用いて第三の実施形態による燃料調整器１０の処理フローについて説明する。
【００６３】
ここで第三の実施形態による燃料調整器１０が行う処理は、第一の実施形態による燃料調整器１０が行う処理と同様に、算出部１０１が燃料流量調整弁Ｃｖ値を算出し、燃料調整器１０の指令部１０２が燃料流量調整弁８０２を制御する弁開度指令値を出力する処理である。
ただし、ここでは、第一の実施形態による燃料調整器１０と処理が異なるステップＳ２４からステップＳ２７の処理について説明する。
【００６４】
ステップＳ６の処理により、算出部１０１は、燃料温度Ｔを取得する。
すると、負荷検出部１０３は、検出した発電機５０に接続されている電力消費装置の負荷の大きさを負荷変化率判定部１０４に出力する。
負荷変化率判定部１０４は、負荷検出部１０３が検出した発電機５０に接続されている電力消費装置の負荷の大きさを入力する。負荷変化率判定部１０４は、所定の時間間隔における負荷の変化を算出する（ステップＳ２４）。負荷変化率判定部１０４は、燃料流量調整弁８０２の入口圧力と出口圧力の差圧が固定値であるとみなせる負荷の変化のしきい値と、算出した負荷の変化とを比較する。そして、負荷変化率判定部１０４は、算出した負荷の変化がしきい値よりも大きいか否かを判定する（ステップＳ２５）。
【００６５】
算出した負荷の変化がしきい値よりも大きいと負荷変化率判定部１０４が判定した場合（ステップＳ２５、ＹＥＳ）、レート付スイッチ１０６はロ側が有効になり、ステップＳ７の処理により、データテーブルＢにおける温度補正係数を特定する。そして、ステップＳ８の燃料流量値Ｇと温度補正係数とを乗算する処理へと続く。
また、算出した負荷の変化がしきい値よりも小さいまたは同一であると負荷変化率判定部１０４が判定した場合（ステップＳ２５、ＮＯ）、レート付スイッチ１０６はイ側が有効になり、算出部１０１は、記憶部１１０が記憶している燃料温度と温度補正係数との関係を示すデータテーブルＤを読み出す（ステップＳ２６）。算出部１０１は、取得した燃料温度Ｔに最も近いデータテーブルＤにおける燃料温度を特定する。そして、算出部１０１は、データテーブルＤにおいて特定した燃料温度Ｔに対応する温度補正係数を特定する（ステップＳ２７）。そして、ステップＳ８の燃料流量値Ｇと温度補正係数とを乗算する処理へと続く。
【００６６】
燃料流量調整弁８０２の入口圧力と出口圧力との差圧を固定値とした方が、算出部１０１が行う燃料流量調整弁８０２の弁開度指令値を算出時間は短くなり、遅延時間が少ないフィードバック制御を実現できる。そのため、装置の信頼性が向上し、かつ燃料流量調整弁８０２の入口圧力と出口圧力の差圧が大きい場合には差圧を算出することで負荷変動に対する追従性を向上することができる。
【００６７】
以上、第三の実施形態による燃料調整器１０の処理について説明した。上述の燃料調整器１０の処理によれば、燃料系統８０の燃料系統において、燃料流量指令値ＣＳＯに基づいて算出した燃料流量値Ｇと、燃料温度の実測値を燃料温度に基づく式（１）で示した弁開度補正係数算出式に入力して算出した温度補正係数（第一弁開度補正値）と、燃料流量調整弁８０２の出口圧力の実測値と燃料流量調整弁８０２の入口圧力値とに基づいて算出した圧力補正係数（第二弁開度補正値）とを乗じることにより、燃焼器３０へ出力する燃料の流量を調整する燃料流量調整弁８０２の弁開度指令値を算出する。
このようにすれば、ガスタービンシステムにおいて所望の燃料流量が得られ、急激な負荷変動に対応できる。
また、負荷変化率判定部１０４とレート付スイッチ１０６により、負荷の変化に応じて燃料流量調整弁８０２の入口圧力と出口圧力の差圧を固定値とするか変動値とするかを判定し、固定値や変動値を用いて燃料流量調整弁８０２の弁開度指令値を算出する。
このようにすれば、装置の信頼性が向上し、かつ負荷変動に対する追従性を向上することができる。
【００６８】
＜第四の実施形態＞
図１７は、本発明の第四の実施形態による燃料調整器１０を備えるガスタービンシステム１の構成の一例を示す図である。
図１７で示すように、第四の実施形態によるガスタービンシステム１は、第一の実施形態によるガスタービンシステム１と同様に、燃料調整器１０と、空気圧縮機２０と、燃焼器３０と、タービン４０と、発電機５０と、ＩＧＶ（Ｉｎｌｅｔ  Ｇｕｉｄｅ  Ｖａｎｅ）コントローラ６０と、冷却装置７０と、燃料系統８０と、記憶部１１０と、軸１２０と、ＣＳＯ演算部１３０とを備える。
【００６９】
ただし、第四の実施形態による算出部１０１は、第二の実施形態による算出部１０１の構成と同様に、ローパスフィルタ１０５を備える。
また、第四の実施形態による燃料調整器１０は、第三の実施形態による燃料調整器１０の構成と同様に、負荷検出部１０３と、負荷変化率判定部１０４を備える。
また、第四の実施形態による算出部１０１は、第三の実施形態による算出部１０１の構成と同様に、レート付スイッチ１０６を備える。
更に、記憶部１１０は、第三の実施形態による記憶部１１０と同様に、燃料流量調整弁８０２の入口圧力と出口圧力との差圧を固定値として算出した、出口圧力値と圧力補正係数との関係を示すデータテーブルＤを記憶している。
【００７０】
図１８は、本発明の第四の実施形態による燃料調整器１０が行う処理の一例を示す図である。
また、図１９と図２０は、本発明の第四の実施形態による燃料調整器１０の処理フローの一例を示す図である。
なお、第四の実施形態による燃料調整器１０が行う処理の一例は、第二の実施形態による燃料調整器１０が行う処理と第三の実施形態による燃料調整器１０が行う処理との組み合わせである。そのため、図１８についての説明は省略する。
また、第四の実施形態による燃料調整器１０の処理フローの一例は、第二の実施形態による燃料調整器１０の処理フローと第三の実施形態による燃料調整器１０の処理フローとの組み合わせである。そのため、図１９と図２０についての説明は省略する。
【００７１】
以上、第四の実施形態による燃料調整器１０の処理について説明した。上述の燃料調整器１０の処理によれば、燃料系統８０の燃料系統において、燃料流量指令値ＣＳＯに基づいて算出した燃料流量値Ｇと、燃料温度の実測値を燃料温度に基づく式（１）で示した弁開度補正係数算出式に入力して算出した温度補正係数（第一弁開度補正値）と、燃料流量調整弁８０２の出口圧力の実測値と燃料流量調整弁８０２の入口圧力値とに基づいて算出した圧力補正係数（第二弁開度補正値）とを乗じることにより、燃焼器３０へ出力する燃料の流量を調整する燃料流量調整弁８０２の弁開度指令値を算出する。
このようにすれば、ガスタービンシステムにおいて所望の燃料流量が得られ、急激な負荷変動に対応できる。
また、ローパスフィルタ１０５により、燃料流量調整弁の差圧信号や出力圧力信号における高周波成分を除去することができ、制御系を安定させることができる。
また、負荷変化率判定部１０４とレート付スイッチ１０６により、負荷の変化に応じて燃料流量調整弁８０２の入口圧力と出口圧力の差圧を固定値とするか変動値とするかを判定し、固定値や変動値を用いて燃料流量調整弁８０２の弁開度指令値を算出する。
このようにすれば、装置の信頼性が向上し、かつ負荷変動に対する追従性を向上することができる。
【００７２】
＜第五の実施形態＞
図２１は、本発明の第五の実施形態による燃料調整器１０を備えるガスタービンシステム１の構成の一例を示す図である。
図２１で示すように、第五の実施形態によるガスタービンシステム１は、第一の実施形態によるガスタービンシステム１と同様に、燃料調整器１０と、空気圧縮機２０と、燃焼器３０と、タービン４０と、発電機５０と、ＩＧＶコントローラ６０と、冷却装置７０と、燃料系統８０と、記憶部１１０と、軸１２０と、ＣＳＯ演算部１３０とを備える。
ただし、第五の実施形態による算出部１０１は、第一の実施形態による算出部１０１の構成に、更に燃料組成特定部１０７を備える。
燃料組成特定部１０７は、燃料系統における燃料の組成を特定する。
また、記憶部１１０は、燃料の組成と燃料密度との関係を示すデータテーブルＥを記憶している。
【００７３】
図２２は、本発明の第五の実施形態による燃料調整器１０が行う処理の一例を示す図である。
また、図２３と図２４は、本発明の第五の実施形態による燃料調整器１０の処理フローの一例を示す図である。
次に、図２２から図２４を用いて第五の実施形態による燃料調整器１０の処理フローについて説明する。
この第五の実施形態による燃料調整器１０が行う処理は、第一の実施形態による燃料調整器１０が行う処理において、更に燃料組成特定部１０７による処理が追加されたものである。
そのため、ここでは、燃料組成特定部１０７についてのみ説明する。
【００７４】
燃料組成特定部１０７は、燃料系統８０の燃料系統における燃料を入力し、入力した燃料の組成を特定する。例えば、燃料組成特定部１０７は、ガスクロマトグラフィなどの成分分析装置である。
【００７５】
ステップＳ６の処理により、算出部１０１は、燃料温度Ｔを取得する。
すると、燃料組成特定部１０７は、燃料系統における燃料を取得する（ステップＳ２８）。燃料組成特定部１０７は、燃料系統から燃料を取得すると、取得した燃料の組成を特定する（ステップＳ２９）。例えば、燃料組成特定部１０７は、成分分析装置であり、燃料系統から取得した燃料を成分分析して燃料の組成を特定する。そして、燃料組成特定部１０７は、特定した燃料の組成を算出部１０１に出力する。
算出部１０１は、燃料組成特定部１０７が特定した燃料の組成を入力すると、記憶部１１０から燃料の組成と燃料密度との関係を示すデータテーブルＥを読み出す（ステップＳ３０）。
算出部１０１は、データテーブルＥを記憶部１１０から読み出すと、読み出したデータテーブルＥにおいて、燃料組成特定部１０７が特定した燃料の組成に相当する組成を特定する。算出部１０１は、データテーブルＥにおいて特定した燃料の組成に対応する燃料密度を特定する（ステップＳ３１）。そして、算出部１０１は、データテーブルＥにおいて特定した燃料密度を用いてデータテーブルＢにおける温度補正係数を特定する（ステップＳ３２）。そして、ステップＳ８の燃料流量値Ｇと温度補正係数とを乗算する処理へと続く。
【００７６】
なお、燃料組成特定部１０７により、燃料系統において、燃料の組成に応じた燃料密度を特定し、算出部１０１が温度補正係数を算出するガスタービンシステムの構成は、第五の実施形態によるガスタービンシステム１に限定するものではない。例えば、第二から第四の実施形態によるガスタービンシステム１の燃料調整器１０が燃料組成特定部１０７を備えていてもよい。また、燃料組成特定部１０７は、適切な処理が行われる範囲において燃料調整器１０の外部に存在してもよい。
【００７７】
以上、第五の実施形態による燃料調整器１０の処理について説明した。上述の燃料調整器１０の処理によれば、燃料系統８０において、燃料流量指令値ＣＳＯに基づいて算出した燃料流量値Ｇと、燃料温度の実測値を燃料温度に基づく式（１）で示した弁開度補正係数算出式に入力して算出した第一弁開度補正値である温度補正係数と、燃料流量調整弁８０２の出口圧力の実測値と燃料流量調整弁８０２の入口圧力値とに基づいて算出した第二弁開度補正値である圧力補正係数とを乗じることにより、燃焼器３０へ出力する燃料の流量を調整する燃料流量調整弁８０２の弁開度指令値を算出する。
このようにすれば、ガスタービンシステムにおいて所望の燃料流量が得られ、急激な負荷変動に対応できる。
また、燃料組成特定部１０７により、燃料系統において、燃料の組成に応じた燃料密度を特定し、算出部１０１が温度補正係数を算出することで、より高精度に燃料流量を制御することができる。
【００７８】
以上の本発明の実施形態についての説明では、燃料流量調整弁の入口圧力の入口圧力値は、燃料流量調整弁の入口圧力と出口圧力との圧力差の実測値と、燃料流量調整弁の出口圧力の実測値とに基づいて計算した計算値である。しかしながら、燃料流量調整弁の入口圧力の入口圧力値は、それに限定するものではない。例えば、燃料流量調整弁の入口圧力の入口圧力値は、燃料流量調整弁の入口圧力を圧力計で実測した実測値であってもよい。また、この場合、燃料調整器１０は、燃料流量調整弁の入口圧力の入口圧力値をローパスフィルタ（第二のローパスフィルタ）を介した実測値を用いて燃料流量調整弁８０２の弁開度指令値を算出してもよい。
また、以上の本発明の実施形態についての説明では、データテーブルを用いて求める種々の値は、データテーブルにおいて相当する値がない場合、データテーブルのおけるデータを補間や近似して相当する値を求めてもよい。例えば、データテーブルにおいて相当する値の前後のデータを用いてデータを線形補間や高次の多項式で近似して求めた値としてもよい。
また、燃料調整器１０が備えられる箇所は、実施形態に示した箇所に限定するものではない。燃料調整器１０は、適切な処理が行うことができる範囲において、どこに備えられていてもよい。例えば、ガスタービン２が燃料調整器１０を備えていてもよい。また、燃焼器３０が燃料調整器１０を備えていてもよい。また、タービン４０が燃料調整器１０を備えていてもよい。
【００７９】
なお本発明の実施形態について説明したが、上述の燃料調整器１０は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００８０】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００８１】
本発明のいくつかの実施形態を説明したが、これらの実施形態は、例として提示したものであり、発明の範囲を限定するものではない。また、発明の要旨を逸脱しない範囲で、種々の省略、置き換え、変更を行うことができるものである。
【符号の説明】
【００８２】
１・・・ガスタービンシステム
２・・・ガスタービン
１０・・・燃料調整器
２０・・・空気圧縮機
３０・・・燃焼器
４０・・・タービン
５０・・・発電機
６０・・・ＩＧＶコントローラ
７０・・・冷却装置
８０・・・燃料系統
１０１・・・算出部
１０２・・・指令部
１０３・・・負荷検出部
１０４・・・負荷変化率判定部
１０５、１０５ａ、１０５ｂ・・・ローパスフィルタ
１０６・・・レート付スイッチ
１０７・・・燃料組成特定部
１１０・・・記憶部
１２０・・・軸
１３０・・・ＣＳＯ演算部
７０１・・・ＧＴ冷却空気弁
８０１・・・圧力調整弁
８０２・・・燃料流量調整弁
８０３・・・圧力計
８０４・・・差圧計
８０５・・・ノズル
【図１】
2015102071.tif 000004
【図２】
2015102071.tif 000005
【図３】
2015102071.tif 000006
【図４】
2015102071.tif 000007
【図５】
2015102071.tif 000008
【図６】
2015102071.tif 000009
【図７】
2015102071.tif 000010
【図８】
2015102071.tif 000011
【図９】
2015102071.tif 000012
【図１０】
2015102071.tif 000013
【図１１】
2015102071.tif 000014
【図１２】
2015102071.tif 000015
【図１３】
2015102071.tif 000016
【図１４】
2015102071.tif 000017
【図１５】
2015102071.tif 000018
【図１６】
2015102071.tif 000019
【図１７】
2015102071.tif 000020
【図１８】
2015102071.tif 000021
【図１９】
2015102071.tif 000022
【図２０】
2015102071.tif 000023
【図２１】
2015102071.tif 000024
【図２２】
2015102071.tif 000025
【図２３】
2015102071.tif 000026
【図２４】
2015102071.tif 000027